(57)【要約】【課題】  箱を封かんする粘着テープであって、箱の封かん作業中や輸送中は外力が加わっても切断しにくく、開封時は、道具を用いずに素早く簡単に箱の開封が可能な粘着テープを提供することを目的とする。【解決手段】  箱の封かんに用いるフィルムを基材とした粘着テープ３において、前記粘着テープに亀裂を生じさせる複数の切れ込み、傷跡５が形成された範囲である亀裂発生部分４が、前記粘着テープ３の長手方向（Ｂ−Ｂ´）に沿って５０ｍｍ以上の間隔を開けて連続的に配置されて列を形成し、この列は前記粘着テープ３の短手方向中央を中心として１列設けられ、さらに、前記粘着テープ短手方向（Ａ−Ａ´）における前記亀裂発生部分４の長さは、前記粘着テープ短手方向（Ａ−Ａ´）の長さの１／２以下であり、前記粘着テープ長手方向（Ｂ−Ｂ´）における前記亀裂発生部分４の長さは２０ｍｍ以下であることを特徴とする開封が簡単な粘着テープ。【選択図】図１
2015155509.tif 000002
【特許請求の範囲】
【請求項１】
箱の封かんに用いるフィルムを基材とした粘着テープにおいて、前記粘着テープに亀裂を生じさせる複数の切れ込み、傷跡が形成された範囲である亀裂発生部分が、前記粘着テープの長手方向に沿って５０ｍｍ以上の間隔を開けて連続的に配置されて列を形成し、この列は前記粘着テープの短手方向中央を中心として１列設けられ、さらに、前記粘着テープ短手方向における前記亀裂発生部分の長さは、前記粘着テープ短手方向の長さの１／２以下であり、前記粘着テープ長手方向における前記亀裂発生部分の長さは２０ｍｍ以下であることを特徴とする開封が簡単な粘着テープ。
【請求項２】
箱の封かんに用いるフィルムを基材とした粘着テープにおいて、前記粘着テープに亀裂を生じさせる複数の切れ込み、傷跡が形成された範囲である亀裂発生部分が、前記粘着テープの長手方向に沿って５０ｍｍ以上の間隔を開けて連続的に配置されて列を形成し、この列は、前記粘着テープの短手方向中央から両側縁部までの長さの各１／２以内の範囲にあって、粘着テープの短手方向に間隔を開けて複数列設けられ、この列を構成する亀裂発生部分について、前記粘着テープ短手方向における前記亀裂発生部分の長さは、前記粘着テープ短手方向の長さの1／２より短く、前記粘着テープ長手方向における前記亀裂発生部分の長さは２０ｍｍ以下であり、粘着テープの長手方向から見て隣接する列の亀裂発生部分はお互いに接するか、一部が重なり、かつ、粘着テープの短手方向から見て隣接する列の亀裂発生部分は間隔を開けて配置されていることを特徴とする開封が簡単な粘着テープ。
【請求項３】
前記粘着テープが各亀裂発生部分を示す表示を有することを特徴とする請求項１または請求項２のいずれか１項に記載の開封が簡単な粘着テープ
【発明の詳細な説明】
【技術分野】
【０００１】
本発明は箱の封かんに用いる粘着テープであって、箱の開封を容易化する粘着テープに関する。
【背景技術】
【０００２】
荷物を入れるための段ボール箱のような箱は、一対の側面板の上下の縁に繋げて設けた外フラップ（一対の端面板の上下縁に繋げて設けた内フラップの上側に位置するもの）を重ね合わせ、粘着テープを用いて封かんされる。このように封かんした箱を開封するには、一般的には粘着テープをカッターなどで切断し開封するか、粘着テープをはがして開封する。また、粘着テープで封かんされた箱を容易に開封するために、従来から大きく分けて３つの方法が提案されている。
【０００３】
第１の方法は、箱から粘着テープをはぎ取りやすくして、開封する方法で、特許文献１は、粘着テープをはぎ取りやすくするために、箱に切れ目を入れている。
第２の方法は、切れ込みやミシン目を持つ粘着テープを用いて箱を封かんすることにより開封しやすくする方法で、特許文献２のように予め粘着テープに万遍なく切れ込みや孔をあけておくもの、特許文献３のように予め粘着テープ中央にミシン目を入れておくものがある。
第３の方法は、箱を粘着テープで封かん後に、特許文献４のように合わせ目に沿ってミシン目をいれ、開封時にはミシン目を利用して開封するものである。
【先行技術文献】
【特許文献】
【０００４】
【特許文献１】特開２００４−１７５４５１号
【特許文献２】実開昭５４−１３３１６５号
【特許文献３】実開平６−５１２５６号
【特許文献４】特開平７−２５１８１２号
【発明の概要】
【発明が解決しようとする課題】
【０００５】
一般的に行われているカッターなどを用いて粘着テープを切断し開封する方法は、常にカッターが必要であることに加え、カッターを使用するときに中身を傷つけたり、怪我をしたりする恐れがあった。粘着テープをはがして開封する方法は、箱に強く接着している粘着テープをはがすことが簡単ではなく、手間と時間がかかるほか、はがす際に爪を痛める恐れがあった。また、きれいに剥げないなどの問題があった。
第１の方法の特許文献１では、このはがしにくい問題を解決するために、箱の端面板や蓋面中央の粘着テープに近い部分に切れ目を入れ、この切れ目を破り粘着テープを持ちやすくして、はがしやすくする方法である。この方法では、箱から粘着テープをはがすのに力が必要であることや、箱に付けた切れ目の位置が決まっているので粘着テープを正確に貼りつける必要があり作業に注意が必要となるほか、粘着テープの端末はギザギザ状に切断されているため、粘着テープの端末からはがす場合は、はがし始めの時点で斜めに切れ、それ以上ははがせない可能性があるなど問題があった。
【０００６】
第２の方法では、合わせ目に対向した粘着テープを破断して開封できるが、合わせに対向する粘着テープすべてにミシン目が形成されるため、上から抑える力が加わると輸送中に粘着テープが切れる問題があった。
また、特許文献２の方法では、粘着テープに全体に万遍なく切れ込みや孔もしくはミシン目があるため、封かん作業中は粘着テープを丁寧に取り扱わないと切れる問題があった。特許文献３も同様に粘着テープを丁寧に取り扱わないと、ミシン目に沿って縦に切れてしまう可能性と、粘着テープのミシン目を合わせ目に位置させて貼ることが難しい問題があった。
第３の方法の特許文献４では、封かん後に合わせ目にミシン目をいれるので、封かん作業中に粘着テープが切れることも、粘着テープのミシン目と箱の合わせ目が一致しないこともないが、ＯＰＰなどのフィルムでできた粘着テープでは切れ込みがあると裂けやすいために、ミシン目の形成中や輸送中に力が加わるとミシン目の入った粘着テープが切断して開封してしまう可能性があった。
【０００７】
本発明は、このような従来技術の問題点に着目してなされたものであって、箱の封かん作業に特殊な器具、機械や高い作業精度が不要で、封かん作業中や輸送中に意図しない力で箱が開封する可能性が低く、箱の開封時にはカッターなどの刃物を必要とすることなく、素早く簡単に箱を開封することが可能な開封が簡単な粘着テープを提供することを目的とする。
【課題を解決するための手段】
【０００８】
上記目的を達成するため、請求項１記載の簡単に開封できる粘着テープは、箱の封かんに用いるフィルムを基材とした粘着テープにおいて、前記粘着テープに亀裂を生じさせる複数の切れ込み、傷跡が形成された範囲である亀裂発生部分が、前記粘着テープの長手方向に沿って５０ｍｍ以上の間隔を開けて連続的に配置されて列を形成し、この列は前記粘着テープの短手方向中央を中心として１列設けられ、さらに、前記粘着テープ短手方向における前記亀裂発生部分の長さは、前記粘着テープ短手方向の長さの１／２以下であり、前記粘着テープ長手方向における前記亀裂発生部分の長さは２０ｍｍ以下であることを特徴とする。
【０００９】
開封が簡単な粘着テープに亀裂を生じさせる切れ込み、傷跡とは、力を加えると傷跡は切れ込みに変わり、この切れ込みは力が加わり歪むことで伸長し亀裂となる。力を加えても切れ込みが歪まないほどに小さい切れ込みの場合は、亀裂を生じさせることができない。しかし、加わった力によりミシン目のように複数の小さな切れ込みが破断して繋がる場合は、亀裂を生じさせることができる。よって、切れ込みの大きさは、あまり重要ではない。このような理由により、本発明の切れ込み、傷跡は、粘着テープに力を加えるとミシン目のように繋がる間隔で形成された複数の切れ込みや孔、傷跡を含み、形状は直線状のものだけでなく不定形のものでもよい。
亀裂を生じさせる切れ込みや傷跡は、亀裂発生部分に万遍なく形成されているが、亀裂発生部分以外には形成されていない。
なお、亀裂発生部分とは、切れ込み、傷跡の形成範囲を示す概念であり、実際に粘着テープ上に存在するものではない。
【００１０】
本発明の簡単に開封できる粘着テープは、切れ込みや傷があると亀裂を生じ裂けやすいという粘着テープのフィルム基材の性質を利用したものである。
本発明の開封が簡単な粘着テープを用い一対の外フラップを閉じて箱を封かんすると外フラップ間の合わせ目の一部に粘着テープの亀裂発生部分が位置する。開封時にはこの合わせ目に対向する粘着テープの亀裂発生部分を爪先などで上から押すと、局部的に強い力が上から加わり、力を加えた部分やその周辺の切れ込みや傷跡が亀裂に発展する。爪を軽く押しながら合わせ目に沿って動かすと亀裂は伸長し合わせ目部分の粘着テープを切断できる。次にどちらかの外フラップを持ち上げると、亀裂が持ち上げた外フラップと端面板間の粘着テープに伸長する。残った外フラップも上に持ち上げると外フラップと端面板間の粘着テープを破断し、開封することができる。このように本発明では合わせ目に対向する粘着テープに開封の契機となる切れ込みや傷跡が一つあれば開封できる。
【００１１】
このため、粘着テープ長手方向の亀裂発生部分の長さは短くても良いので２０ｍｍ以内とした。また、粘着テープ長手方向の亀裂発生部分の間隔は、可能な限り広い方が意図しない切断や開封のリスクを減らすことができ望ましいが、小さな箱にも対応するため粘着テープ長手方向の亀裂発生部分の間隔を５０ｍｍ以上とした。
【００１２】
次に請求項２記載の簡単に開封できる粘着テープは、箱の封かんに用いるフィルムを基材とした粘着テープにおいて、前記粘着テープに亀裂を生じさせる複数の切れ込み、傷跡が形成された範囲である亀裂発生部分が、前記粘着テープの長手方向に沿って５０ｍｍ以上の間隔を開けて連続的に配置されて列を形成し、この列は、前記粘着テープの短手方向中央から両側縁部までの長さの各１／２以内の範囲にあって、粘着テープの短手方向に間隔を開けて複数列設けられ、この列を構成する亀裂発生部分について、前記粘着テープ短手方向における前記亀裂発生部分の長さは、前記粘着テープ短手方向の長さの１／２より短く、前記粘着テープ長手方向における前記亀裂発生部分の長さは２０ｍｍ以下であり、粘着テープの長手方向から見て隣接する列の亀裂発生部分はお互いに接するか、一部が重なり、かつ、粘着テープの短手方向から見て隣接する列の亀裂発生部分は間隔を開けて配置されていることを特徴とする。
【００１３】
請求項２は個々の亀裂発生部分の粘着テープの短手方向の長さが請求項１よりも短いため、封かん作業中などに亀裂発生部分が短手方向に切れる可能性が低い。また、個々の亀裂発生部分の面積が請求項１よりも小さいため、面的な力が加わっても亀裂発生部分以外の部分が力を分散させるために亀裂が生じ切断する可能性がさらに小さくなる。
【００１４】
次に、請求項３記載の開封が簡単な粘着テープは、請求項１または請求項２に記載の開封が簡単な粘着テープにおいて、前記粘着テープが各亀裂発生部分を示す表示を有することを特徴とする。
亀裂発生部分を示す表示とは、利用者が亀裂発生部分を認識または推定できる表示で、図や記号、言葉、亀裂発生部分への着色などをいう。
本願の開封が簡単な粘着テープは、亀裂発生部分の面積が小さいことが特徴であるが、開封者に亀裂発生部分の場所がわかりにくいので、亀裂発生部分を示す表示があることで開封が早く簡単にできる。さらに、作業終了時などに、粘着テープの切断端である端末を巻き体に貼りつける場合、端末に亀裂発生部分があると再度巻き体からテープを剥がす時に亀裂発生部分から切れてしまい巻き体から剥がすことができない。請求項３の発明では、亀裂発生部分の表示を参考に、亀裂発生部分以外の場所で切断できるので、このようなことは起きない。
【発明の効果】
【００１５】
請求項１記載の開封が簡単にできる粘着テープ（以下粘着テープと述べる。）の効果を、封かん作業時、輸送時、開封時の３つの場面に分けて述べる。
まず封かん作業時について述べる。巻き体から粘着テープをはがす時に、粘着テープの側縁部に力が加わりやすいため縁近くに切れ込みや傷があると切断しやすい。しかし、本発明の粘着テープは亀裂が発生する部分が、粘着テープの短手方向中心から側縁部までの長さの半分から側縁部側にかけては設けられていないので、粘着テープの縁から切断することがない。
【００１６】
また、粘着テープの亀裂発生部分は粘着テープの長手方向に２ｃｍ以下と短く、かつ、粘着テープ長手方向の亀裂発生部分の間隔は５cm以上開いているために、長手方向に粘着テープが切れる可能性は低い。
さらに、亀裂発生部分に形成されている切れ込みや傷跡は爪先などで局部的な強い力を加えないと亀裂を生じないほど小さく、亀裂発生部分にしかないため、封かん作業中に加わる力で粘着テープが切断する可能性が小さい。
また、作業精度が高い自動封函機を用い封かん作業を行う場合は、粘着テープ短手方向略中央と外フラップの合わせ目を合わせることができるので、亀裂発生部分の粘着テープ短手方向の長さを短くできるため、意図しない切断などが起きる可能性はさらに低くなる。
このように本発明の粘着テープは、箱の封かん作業に特別な機械や器具などが不要であり、粘着テープの取り扱い易さも従来の粘着テープとほぼ同じなので、一般的な粘着テープと同様に封かん作業が行えるため利用しやすい。
【００１７】
次に輸送時について述べる。本発明の粘着テープで封かんされた箱の外フラップの合わせ目は細い線状であり、亀裂を生じる切れ込みや傷跡はその合わせ目の一部にしかない。よって、輸送中にこれらのごく一部にある切れ込みや傷跡に亀裂が生じるような力が加わる可能性が低いので輸送中に開封する可能性は低い。
箱の開封時は、箱の外フラップの合わせ目に対向する亀裂発生部分を爪先で押すと切れ込みが拡大、または、傷跡から亀裂を生じる。爪を合わせ目に沿って動かせば亀裂も伸長し、合わせ目部分の粘着テープを切断することができる。次いで外フラップを持ち上げると開封できることから、道具を使わずに、素早く簡単に開封することができる。
【００１８】
請求項２は、亀裂発生部分の短手方向の長さを請求項１よりも短くしたものである。個々の亀裂発生部分の面積を小さくすることで、封かん作業中に亀裂発生部分から短手方向に切れる可能性を低減したものである。また、巻き体に巻かれた粘着テープをはがす場合に、個々の亀裂発生部分の面積が請求項１よりも小さいために、亀裂発生部分のみが巻き体に残ったり、亀裂発生部分から切れたりする可能性がさらに小さくなる。そのほかの効果は、請求項１と同様である。
請求項３の亀裂発生部分を示す表示により、切れ込み、傷跡をより小さくして、強い力が加わらないと亀裂が生じないようにしても、亀裂を発生させる場所が確信できるので、開封作業がより早く簡単に、かつ、輸送中の開封の可能性を小さくできる。また、粘着テープの使用後に粘着テープを切断し端末を巻き体に貼り戻す時に、亀裂発生部分以外で切断できるために、再度巻き体から端末を剥がす時に意図しない切れ方にはならない。
【図面の簡単な説明】
【００１９】
【図１】実施例１の開封が簡単な粘着テープの斜視図である。
【図２】実施例１の開封が簡単な粘着テープの平面図である。
【図３】実施例１の開封が簡単な粘着テープを用いて封緘された箱の斜視図である。
【図４】実施例２の開封が簡単な粘着テープの斜視図である。
【図５】実施例２の開封が簡単な粘着テープの平面図である。
【実施例】
【００２０】
以下の各実施例における数値は、特に断りがない限り、例としての数値であり、これらの数値によって本願の発明が制限されるものではない。また、以下の実施例の粘着テープの基材であるフィルムとは、ポリプロピレンやアセテートなどの合成樹脂やセロハンなどの傷や切れ込みがあると裂けやすいフィルムのことである。
切れ込み、傷跡は、鋭い尖端を持つ針状のもの、円盤状の刃、レーザー光など様々な方法を利用して粘着テープの製造中に形成されたものである。このため、切れ込み、傷跡の形は、不定形、粘着テープ長手方向に平行な切れ込みや丸い孔、星形などの多角形の孔なども含める。
また、切れ込みや傷跡の大きさも局部的な力を加えた時に亀裂を生じるように、０．１ｍｍ〜３ｍｍである。
実施例の図に示した切れ込みや傷跡は、切れ込みや傷跡があることを意味しているだけで、形や大きさを示しているものではない。同じく亀裂発生部分は、切れ込み、傷跡の形成範囲を示す概念であり、実際に粘着テープ上に存在するものではない。
【００２１】
（実施例１）
本発明の実施例１にかかる開封が簡単な粘着テープ（以下、粘着テープという。）について、図１、図２、図３を用いて説明する。
図１は、実施例１における開封が簡単な粘着テープの斜視図である。図２は、実施例１の粘着テープの一部分を上から見た平面図である。
実施例１の粘着テープ３の短手方向（Ａ−Ａ´）の長さは５０ｍｍである。粘着テープ３には、亀裂発生部分４が設けられている。
亀裂発生部分４は粘着テープ短手方向（Ａ−Ａ´）の中央部を中心として、粘着テープ短手方向の長さが２５ｍｍ、粘着テープ長手方向（Ｂ−Ｂ´）の長さが１０ｍｍの略長方形をしている。亀裂発生部分４には、０．３ｍｍ〜１ｍｍ程度の切れ込み５が万遍なく形成されている。
亀裂発生部分４は、粘着テープの長手方向に１００ｍｍおきに設けられており、亀裂発生部分４の位置を示す三角形のマーク６が各亀裂発生部分４の両縁側に印されている。
【００２２】
図３は、実施例１の粘着テープを用いて箱を封かんした状態の斜視図である。本発明の粘着テープで封かんする箱とは、内フラップと外フラップ９、１０を重ね合わせて封かんする箱であって、一方の端面板８から他方の端面板８まで、一対の外フラップ９と外フラップ１０を粘着テープ３で張り合わせ、図３のように封かんされた箱である。箱の外フラップの合わせ目１１の長さは２５０ｍｍで、合わせ目１１に対向する粘着テープ３には３か所の亀裂発生部分４が位置する。
なお、亀裂発生部分４とは、亀裂を生じる切れ込み５が存在する範囲を示すものであり、切れ込みは０．３ｍｍ〜１ｍｍと小さいため図３では省略した。
【００２３】
次に本実施例１による作用及び効果について説明する。
本実施例１の粘着テープ３は、亀裂発生部分４の面積が小さいため、通常の粘着テープと同様に扱っても切れたり、巻き体１から剥がす時に巻き体１に残る可能性は低い。このため、箱の封かんは特別な手法や装置、道具を必要とせずに、従来の粘着テープと同様な取扱いで使用できる。また、箱を粘着テープ３で封かんするときに、合わせ目１１に対し斜めに張ったり、粘着テープ３の短手方向中心から外フラップの合わせ目１１が最大で１０ｍｍ弱ずれても亀裂発生部分４が短手方向（Ａ−Ａ´）に長いため、合わせ目１１に対向する粘着テープ３には亀裂発生部分４が必ず位置するため、貼り方の精度にあまり注意を払わなくともよい。
輸送中に意図せぬ力が箱に加わったとしても、外フラップの合わせ目部分に位置する切れ込みや傷跡は少なくかつ、小さいため、これらに亀裂が生じるほどの強い力が加わる可能性が低いので、開封の可能性は低い。なお、外フラップに接着している粘着テープ部分にも切れ込み、傷跡があるが、合わせ目にごく近い部分を除き外フラップに強く接着しているため力が加わっても亀裂は生じないため、開封には関与しない。
【００２４】
箱の開封作業は、粘着テープ３に印されたマーク６を参考に、合わせ目１１に対向する粘着テープ３の３か所にある亀裂発生部分４のうちの一つを、爪先などで上から押すと、亀裂発生部分４にある切れ込み５が変形し亀裂が生じる。または、切れ込み間の粘着テープが破断し亀裂を生じる。次に爪を軽く押したまま合わせ目１１に沿って動かすと、亀裂が伸長し合わせ目部分の粘着テープ３が切断する。その後、片方の外フラップ１０を箱の内側に押し込むと、もう一方の外フラップ９との間に隙間ができるので指を入れ、外フラップ９を上に持ち上げると、先ほどの亀裂は外フラップ９と端面板２の間の粘着テープ３に伸長し切断する。残った外フラップ１０を持ち上げ外フラップ１０と端面板２の間の粘着テープ３を破断し開封する。このように道具を使わずに簡単に早く開封できる。
【００２５】
（実施例２）
本発明の実施例２にかかる開封が簡単な粘着テープ（以下、粘着テープという。）について、図４、図５を用いて説明する。
図４は、実施例２における粘着テープの斜視図である。図５は、実施例２の粘着テープの一部分を上から見た平面図である。
実施例２の粘着テープ３aの短手方向（Ａ−Ａ´）の長さは５０ｍｍである。
粘着テープ３aには長手方向（Ｂ−Ｂ´）に沿って１００ｍｍ間隔で亀裂発生部分４aが設けられており列を形成している。各亀裂発生部分４aの大きさは粘着テープ短手方向（Ａ−Ａ´）に１０ｍｍ、粘着テープ長手方向（Ｂ−Ｂ´）に１０ｍｍである。この亀裂発生部分内に亀裂を生じることのできる切れ込み５が万遍なく形成されている。また、各亀裂発生部分４aの両縁側には、亀裂発生部分４aを示す三角形のマーク６aが印されている。
【００２６】
亀裂発生部分４aの列は、粘着テープ短手方向（Ａ−Ａ´）の中心から各側縁部までの１／２の範囲内に３列形成され、１列は粘着テープ短手方向（Ａ−Ａ´）の中央を中心として設けられ、他の２列は短手方向中央（Ａ−Ａ´）から互いに離れるように７．５ｍｍずつ各側縁側にずらして配列されている。
亀裂発生部分４aは粘着テープの長手方向（Ｂ−Ｂ´）から見ると、隣接する亀裂発生部分４aはお互いに２．５ｍｍずつ重なり、粘着テープ短手方向（Ａ−Ａ´）から見ると隣接する亀裂発生部分４aは、重ならないように４ｍｍ間隔を開けて列を設けている。
次に本実施例２の作用と効果について述べる。実施例２の作用と効果は、実施例１の作用と効果に加え、粘着テープ短手方向（Ａ−Ａ´）の亀裂発生部分４aの長さが実施例１よりも短くできるため、封かん作業中などに亀裂発生部分４aが短手方向（Ａ−Ａ´）に切れる可能性が低い。また、個々の亀裂発生部分４aの面積が実施例１よりも小さいため、巻き体１aからはがす場合も亀裂発生部分４aが巻き体１aに残る可能性がさらに少なくなる。
【符号の説明】
【００２７】
１、１a…開封が簡単な粘着テープの巻き体
２、２a…開封が簡単な粘着テープの巻き心
３、３a…開封が簡単な粘着テープ
４、４a…亀裂発生部分
５、５a…切れ込み
６、６a…亀裂発生部分を示すマーク
７…箱の側面板
８…箱の端面板
９、１０…箱の外フラップ
１１…箱の外フラップの合わせ目
Ａ−Ａ´…粘着テープの短手方向
Ｂ−Ｂ´…粘着テープの長手方向
【図１】
2015155509.tif 000003
【図２】
2015155509.tif 000004
【図３】
2015155509.tif 000005
【図４】
2015155509.tif 000006
【図５】
2015155509.tif 000007